(57)【要約】  本発明の実施例は情報受信方法、装置及びコンピュータ可読媒体を提供し、該方法は、ページング帯域幅と同期又は基準信号との関連関係を取得するステップと、前記関連関係に基づいて、前記ＵＥに対応するページング帯域幅と関連する同期又は基準信号を取得するステップと、前記同期又は基準信号に基づいて、前記ＵＥに対応するページング帯域幅でページングメッセージを受信するステップと、を含む。本発明の実施例の技術案によって、ＵＥはページングメッセージをより正確に受信することができ、ＵＥがそれ自体に対応するページング帯域幅でページングメッセージを受信する成功率を向上させる。
2021509545.tif 000002
【特許請求の範囲】
【請求項１】
ユーザ装置（ＵＥ）に適用される情報受信方法であって、前記方法は、
ページング帯域幅と同期又は基準信号との関連関係を取得するステップと、
前記関連関係に基づいて、前記ＵＥに対応するページング帯域幅と関連する同期又は基準信号を取得するステップと、
前記同期又は基準信号に基づいて、前記ＵＥに対応するページング帯域幅でページングメッセージを受信するステップと、を含む、情報受信方法。
【請求項２】
前記ページング帯域幅と同期又は基準信号との関連関係を取得するステップは、
ページング帯域幅の指示情報と、前記ページング帯域幅と関連関係を有する同期又は基準信号情報の指示情報とを通知するための余剰最小システム情報（ＲＭＳＩ）又は他のシステム情報（ＯＳＩ）を受信するステップを含む、請求項１に記載の方法。
【請求項３】
前記ページング帯域幅と同期又は基準信号との関連関係を取得するステップは、
予め設定された関連関係確立ポリシーによって前記関連関係を定義するステップを含み、
前記予め設定された関連関係確立ポリシーは、
ページング帯域幅内のページングメッセージと、前記ページング帯域幅と同じ部分帯域幅（ＢＷＰ）上での同期又は基準信号とが関連関係を有することであって、前記ページング帯域幅が前記ＢＷＰの一部であり、前記ＢＷＰがシステム帯域幅の一部であること、
又は、
ページング帯域幅内のページングメッセージと、周波数領域で前記ページング帯域幅に最も近い同期又は基準信号とが関連関係を有すること、又は、
ページング帯域幅内のページングメッセージと、予め設定された同期又は基準信号とが関連関係を有すること、を含む、請求項１に記載の方法。
【請求項４】
前記同期又は基準信号は、同期信号ブロック（ＳＳ  ｂｌｏｃｋ）、チャネル状態情報基準信号（ＣＳＩ−ＲＳ）、トラッキング基準信号（ＴＲＳ）のうちの少なくとも１つを含む、請求項１に記載の方法。
【請求項５】
前記同期又は基準信号はネットワーク装置によりＵＥに対して設定され、前記ＳＳ  ｂｌｏｃｋ及び前記ＣＳＩ−ＲＳは無線リソース管理（ＲＲＭ）及びモビリティ測定に用いられ、前記ＴＲＳは時間周波数トラッキングを行うことに用いられる、請求項４に記載の方法。
【請求項６】
前記方法は、
前記ＵＥに対応するページング帯域幅と検出された同期又は基準信号とに関連関係が存在しない場合、前記ＵＥに対応するページング帯域幅と関連関係が存在する同期又は基準信号を取得するステップをさらに含む、請求項１に記載の方法。
【請求項７】
前記ＵＥに対応するページング帯域幅と検出された同期又は基準信号とに関連関係が存在しないことは、
前記ＵＥに対応するページング帯域幅と前記検出された同期又は基準信号とがそれぞれ異なる部分帯域幅（ＢＷＰ）にあること、又は、
周波数領域で、前記ＵＥに対応するページング帯域幅と前記検出された同期又は基準信号との間の周波数領域距離が設定された距離閾値より大きいこと、又は、
前記ＵＥに対応するページング帯域幅と前記検出された同期又は基準信号との周波数領域位置がそれぞれ異なる無線周波数チェーン（ＲＦ  ｃｈａｉｎ）に属することを含む、請求項６に記載の方法。
【請求項８】
前記関連関係は擬似コロケーション（ＱＣＬ）関係を含む、請求項１〜７のいずれか１項に記載の方法。
【請求項９】
ネットワーク装置に適用される情報受信方法であって、前記方法は、
ユーザ装置（ＵＥ）に対応するページング帯域幅の指示情報と、前記ページング帯域幅と関連関係を有する同期又は基準信号の指示情報とを余剰最小システム情報（ＲＭＳＩ）又は他のシステム情報（ＯＳＩ）に含めるステップと、
前記ＲＭＳＩ又はＯＳＩを前記ＵＥに送信するステップと、を含む、情報受信方法。
【請求項１０】
前記関連関係は擬似コロケーション（ＱＣＬ）関係を含む、請求項９に記載の方法。
【請求項１１】
ユーザ装置（ＵＥ）であって、第１取得部、第２取得部及び受信部を備え、
前記第１取得部は、ページング帯域幅と同期又は基準信号との関連関係を取得するように構成され、
前記第２取得部は、前記関連関係に基づいて、前記ＵＥに対応するページング帯域幅と関連する同期又は基準信号を取得するように構成され、
前記受信部は、前記同期又は基準信号に基づいて、前記ＵＥに対応するページング帯域幅でページングメッセージを受信するように構成される、ＵＥ。
【請求項１２】
前記第１取得部は、具体的には、
ページング帯域幅の指示情報と、前記ページング帯域幅と関連関係を有する同期又は基準信号の指示情報とを通知するための余剰最小システム情報（ＲＭＳＩ）又は他のシステム情報（ＯＳＩ）を受信するように構成される、請求項１１に記載のＵＥ。
【請求項１３】
前記第１取得部は、具体的には、
予め設定された関連関係確立ポリシーによって前記関連関係を定義するように構成され、
前記予め設定された関連関係確立ポリシーは、
ページング帯域幅内のページングメッセージと、前記ページング帯域幅と同じ部分帯域幅（ＢＷＰ）上での同期又は基準信号とが関連関係を有することであって、前記ページング帯域幅が前記ＢＷＰの一部であり、前記ＢＷＰがシステム帯域幅の一部であること、
又は、
ページング帯域幅内のページングメッセージと、周波数領域で前記ページング帯域幅に最も近い同期又は基準信号とが関連関係を有すること、又は、
ページング帯域幅内のページングメッセージと、予め設定された同期又は基準信号とが関連関係を有することを含む、請求項１１に記載のＵＥ。
【請求項１４】
前記同期又は基準信号は、同期信号ブロック（ＳＳ  ｂｌｏｃｋ）、チャネル状態情報基準信号（ＣＳＩ−ＲＳ）、トラッキング基準信号（ＴＲＳ）のうちの少なくとも１つを含む、請求項１１に記載のＵＥ。
【請求項１５】
前記同期又は基準信号はネットワーク装置によりＵＥに対して設定され、前記ＳＳ  ｂｌｏｃｋ及び前記ＣＳＩ−ＲＳは無線リソース管理（ＲＲＭ）及びモビリティ測定に用いられ、前記ＴＲＳは時間周波数トラッキングを行うことに用いられる、請求項１４に記載のＵＥ。
【請求項１６】
前記ＵＥは、前記ＵＥに対応するページング帯域幅と検出された同期又は基準信号とに関連関係が存在するか否かを確定し、しかも前記ＵＥに対応するページング帯域幅と検出された同期又は基準信号とに関連関係が存在しない場合、前記第１取得部をトリガーするように構成される判定部をさらに備える、請求項１１に記載のＵＥ。
【請求項１７】
前記判定部が、前記ＵＥに対応するページング帯域幅と検出された同期又は基準信号とに関連関係が存在しないと確定することは、具体的には、
前記ＵＥに対応するページング帯域幅と前記検出された同期又は基準信号とがそれぞれ異なる部分帯域幅（ＢＷＰ）にあること、又は、
周波数領域で、前記ＵＥに対応するページング帯域幅と前記検出された同期又は基準信号との間の周波数領域距離が設定された距離閾値より大きいこと、又は、
前記ＵＥに対応するページング帯域幅と前記検出された同期又は基準信号との周波数領域位置がそれぞれ異なる無線周波数チェーン（ＲＦ  ｃｈａｉｎ）に属することを含む、請求項１６に記載のＵＥ。
【請求項１８】
前記関連関係は擬似コロケーション（ＱＣＬ）関係を含む、請求項１１〜１７のいずれか１項に記載のＵＥ。
【請求項１９】
ネットワーク装置であって、ベアラ部及び送信部を備え、
前記ベアラ部は、ユーザ装置（ＵＥ）に対応するページング帯域幅の指示情報と、前記ページング帯域幅と関連関係を有する同期又は基準信号の指示情報とを余剰最小システム情報（ＲＭＳＩ）又は他のシステム情報（ＯＳＩ）に含めるように構成され、
前記送信部は、前記ＲＭＳＩ又はＯＳＩを前記ＵＥに送信するように構成される、ネットワーク装置。
【請求項２０】
前記関連関係は擬似コロケーション（ＱＣＬ）関係を含む、請求項１９に記載のネットワーク装置。
【請求項２１】
ユーザ装置（ＵＥ）であって、第１ネットワークインタフェース、第１メモリ及び第１プロセッサを備え、
前記第１ネットワークインタフェースは、他の外部ネットワーク要素と情報を送受信する過程で、信号を送受信するように構成され、
前記第１メモリは、前記第１プロセッサ上で実行可能なコンピュータプログラムを記憶するように構成され、
前記第１プロセッサは、前記コンピュータプログラムが実行されるときに、請求項１〜８のいずれか１項に記載の方法のステップを実行するように構成される、ユーザ装置（ＵＥ）。
【請求項２２】
ネットワーク装置であって、第２ネットワークインタフェース、第２メモリ及び第２プロセッサを備え、
前記第２ネットワークインタフェースは、他の外部ネットワーク要素と情報を送受信する過程で、信号を送受信するように構成され、
前記第２メモリは、第２プロセッサ上で実行可能なコンピュータプログラムを記憶するように構成され、
前記第２プロセッサは、前記コンピュータプログラムが実行されるときに、請求項９〜１０のいずれか１項に記載の方法のステップを実行するように構成される、ネットワーク装置。
【請求項２３】
少なくとも１つのプロセッサにより実行されるときに請求項１〜８のいずれか１項又は請求項９〜１０のいずれか１項に記載の方法のステップを実現する情報受信プログラムが記憶されているコンピュータ可読媒体。
【発明の詳細な説明】
【技術分野】
【０００１】
本発明の実施例は無線通信技術分野に関し、特に情報受信方法、装置及びコンピュータ可読媒体に関する。
【背景技術】
【０００２】
通信技術の発展に伴い、第５世代移動通信技術（５Ｇ：５ｔｈ  Ｇｅｎｅｒａｔｉｏｎ）の研究は始まっている。５Ｇの無線アクセスはＮｅｗ  Ｒａｄｉｏと呼ばれ、ＮＲと略称される。５Ｇ  ＮＲで採用される帯域幅がロングタームエボリューションＬＴＥシステムで採用される帯域幅よりも高いので、無線信号伝送の経路損失が大きくなり、無線信号のカバー範囲が小さくなる。５Ｇシステムでは、基地局のマルチアンテナシステムによって、ビームフォーミングｂｅａｍｆｏｒｍｉｎｇ技術でビームｂｅａｍを形成して無線信号のゲインを向上させ、それにより経路損失を補償する。
【０００３】
５Ｇ  ＮＲシステムでは、共通チャネル及び共通信号がいずれもマルチビーム走査の方式でセル全体をカバーすることにより、セル内のＵＥは共通チャネル及び共通信号を受信することができる。５Ｇ  ＮＲが広帯域ｗｉｄｅｂａｎｄ搬送波をサポートするが、ユーザ装置（ＵＥ：Ｕｓｅｒ  Ｅｑｕｉｐｍｅｎｔ）が、能力が制限されるため、サポートできる最大帯域幅はネットワークシステムのサポートできる帯域幅より小さく、従って、５Ｇ  ＮＲシステムでは、ネットワークシステムの広帯域搬送波を複数の部分帯域幅（ＢＷＰ：ＢａｎｄＷｉｄｔｈ  Ｐａｒｔ）にさらに設定する。
【０００４】
それでは、ＵＥのページング過程において、マルチビーム走査の環境及びネットワークシステムの帯域幅が複数の部分帯域幅に設定された環境で、ＵＥが如何にページングメッセージを正確に受信することができるかは、解決される必要がある問題である。
【発明の概要】
【発明が解決しようとする課題】
【０００５】
上記技術的課題を解決するために、本発明の実施例は情報受信方法、装置及びコンピュータ可読媒体を提供して、５Ｇ  ＮＲシステムにおいて、ＵＥがページングメッセージを受信する成功率を向上させ、それによりＵＥがページングメッセージを正確に受信することができる。
【課題を解決するための手段】
【０００６】
本発明の実施例の技術案は以下のように実現できる。
【０００７】
第１態様では、本発明の実施例はユーザ装置（ＵＥ）に適用される情報受信方法を提供し、前記方法は、
ページング帯域幅と同期又は基準信号との関連関係を取得するステップと、
前記関連関係に基づいて、前記ＵＥに対応するページング帯域幅と関連する同期又は基準信号を取得するステップと、
前記同期又は基準信号に基づいて、前記ＵＥに対応するページング帯域幅でページングメッセージを受信するステップと、を含む。
【０００８】
第２態様では、本発明の実施例はネットワーク装置に適用される情報受信方法を提供し、前記方法は、
ユーザ装置（ＵＥ）に対応するページング帯域幅の指示情報と、前記ページング帯域幅と関連関係を有する同期又は基準信号の指示情報とを余剰最小システム情報（ＲＭＳＩ）又は他のシステム情報（ＯＳＩ）に含めるステップと、
前記ＲＭＳＩ又はＯＳＩを前記ＵＥに送信するステップと、を含む。
【０００９】
第３態様では、本発明の実施例はユーザ装置（ＵＥ）を提供し、第１取得部、第２取得部及び受信部を備え、
前記第１取得部は、ページング帯域幅と同期又は基準信号との関連関係を取得するように構成され、
前記第２取得部は、前記関連関係に基づいて、前記ＵＥに対応するページング帯域幅と関連する同期又は基準信号を取得するように構成され、
前記受信部は、前記同期又は基準信号に基づいて、前記ＵＥに対応するページング帯域幅でページングメッセージを受信するように構成される。
【００１０】
第４態様では、本発明の実施例はネットワーク装置を提供し、ベアラ部及び送信部を備え、
前記ベアラ部は、ユーザ装置（ＵＥ）に対応するページング帯域幅の指示情報と、前記ページング帯域幅と関連関係を有する同期又は基準信号の指示情報とを余剰最小システム情報（ＲＭＳＩ）又は他のシステム情報（ＯＳＩ）に含めるように構成され、
前記送信部は、前記ＲＭＳＩ又はＯＳＩを前記ＵＥに送信するように構成される。
【００１１】
第５態様では、本発明の実施例はユーザ装置（ＵＥ）を提供し、第１ネットワークインタフェース、第１メモリ及び第１プロセッサを備え、
前記第１ネットワークインタフェースは、他の外部ネットワーク要素と情報を送受信する過程で、信号を送受信するように構成され、
前記第１メモリは、前記第１プロセッサ上で実行可能なコンピュータプログラムを記憶するように構成され、
前記第１プロセッサは、前記コンピュータプログラムが実行されるときに、第１態様に記載の方法のステップを実行するように構成される。
【００１２】
第６態様では、本発明の実施例はネットワーク装置を提供し、第２ネットワークインタフェース、第２メモリ及び第２プロセッサを備え、
前記第２ネットワークインタフェースは、他の外部ネットワーク要素と情報を送受信する過程で、信号を送受信するように構成され、
前記第２メモリは、第２プロセッサ上で実行可能なコンピュータプログラムを記憶するように構成され、
前記第２プロセッサは、前記コンピュータプログラムが実行されるときに、第２態様に記載の方法のステップを実行するように構成される。
【００１３】
第７態様では、本発明の実施例は、少なくとも１つのプロセッサにより実行されるときに第１態様又は第２態様に記載の方法のステップを実現する情報受信プログラムが記憶されているコンピュータ可読媒体を提供する。
【発明の効果】
【００１４】
本発明の実施例は情報受信方法、装置及びコンピュータ可読媒体を提供しており、ＵＥがそれ自体に対応するページング帯域幅を確定した後、取得したページング帯域幅と同期又は基準信号との関連関係に基づいて、それ自体に対応するページング帯域幅と関連する同期又は基準信号を取得し、このようにして同期又は基準信号によって同期及びチャネル状態を取得でき、それによりそれ自体に対応するページング帯域幅でページングメッセージを受信する。ＵＥはページングメッセージをより正確に受信することができ、ＵＥがそれ自体に対応するページング帯域幅でページングメッセージを受信する成功率を向上させる。
【図面の簡単な説明】
【００１５】
【図１】本発明の実施例に係る情報受信方法のプロセス模式図である。
【図２】本発明の実施例に係るＳＳ  ｂｌｏｃｋの構造模式図である。
【図３】本発明の実施例に係るシステム帯域幅分割の模式図である。
【図４】本発明の実施例に係る別の情報受信方法のプロセス模式図である。
【図５】本発明の実施例に係るＵＥの構成模式図である。
【図６】本発明の実施例に係るＵＥの具体的なハードウェアの構造模式図である。
【図７】本発明の実施例に係るネットワーク装置の構成模式図である。
【図８】本発明の実施例に係るネットワーク装置の具体的なハードウェアの構造模式図である。
【発明を実施するための形態】
【００１６】
本発明の実施例の特徴及び技術的内容を詳細に理解するために、図面を参照しながら、本発明の実施例の実現を詳細に説明し、添付の図面は参照するためのものに過ぎず、本発明の実施例を限定するものではない。
【００１７】
実施例１
図１は、本発明の実施例に係る、ユーザ装置（ＵＥ）に適用できる情報受信方法のプロセスを示し、該プロセスは、
ページング帯域幅と同期又は基準信号との関連関係を取得するステップＳ１０１と、
前記関連関係に基づいて、前記ＵＥに対応するページング帯域幅と関連する同期又は基準信号を取得するステップＳ１０２と、
前記同期又は基準信号に基づいて、前記ＵＥに対応するページング帯域幅でページングメッセージを受信するステップＳ１０３と、を含む。
【００１８】
図１に示す技術案によれば、ＵＥがそれ自体に対応するページング帯域幅を確定した後、取得したページング帯域幅と同期又は基準信号との関連関係に基づいて、それ自体に対応するページング帯域幅と関連する同期又は基準信号を取得し、このようにして同期又は基準信号によって同期及びチャネル状態を取得でき、それによりそれ自体に対応するページング帯域幅でページングメッセージを受信する。ＵＥはページングメッセージをより正確に受信することができ、ＵＥがそれ自体に対応するページング帯域幅でページングメッセージを受信する成功率を向上させる。
【００１９】
本発明の実施例では、前記関連関係は、ＵＥがページング帯域幅でページングメッセージを受信する関連関係を指示するために使用することができる。具体的には、擬似コロケーション（ＱＣＬ：ｑｕａｓｉ−ｃｏ−ｌｏｃａｔｉｏｎ）関係が好ましい。
【００２０】
また、本発明の実施例では、同期又は基準信号は、同期信号ブロック（ＳＳ  ｂｌｏｃｋ：Ｓｙｎｃｈｒｏｎｉｚａｔｉｏｎ  Ｓｉｇｎａｌ  ｂｌｏｃｋ）、チャネル状態情報基準信号（ＣＳＩ−ＲＳ：Ｃｈａｎｎｅｌ  Ｓｔａｔｅ  Ｉｎｆｏｒｍａｔｉｏｎ  Ｒｅｆｅｒｅｎｃｅ  Ｓｉｇｎａｌ）、トラッキング基準信号（ＴＲＳ：Ｔｒａｃｋｉｎｇ  Ｒｅｆｅｒｅｎｃｅ  Ｓｉｇｎａｌ）のうちの少なくとも１つを含む。具体的には、前記同期又は基準信号はネットワーク装置によりＵＥに対して設定されてもよく、前記ＳＳ  ｂｌｏｃｋ及び前記ＣＳＩ−ＲＳは無線リソース管理（ＲＲＭ）及びモビリティ測定に用いられ、前記ＴＲＳは時間周波数トラッキングを行うことに用いられる。
【００２１】
具体的には、５Ｇ  ＮＲシステムでは、同期信号及び放送チャネルは、マルチビーム走査の方式でセル全体をカバーする必要があり、それによりセル内のＵＥにより受信されやすい。同期信号（ＳＳ：ｓｙｎｃｈｒｏｎｉｚａｔｉｏｎ  ｓｉｇｎａｌ）はマルチビームで送信されるときに、同期信号バーストセットＳＳ  ｂｕｒｓｔ  ｓｅｔを定義することにより実現される。１つのＳＳ  ｂｕｒｓｔ  ｓｅｔは１つ又は複数のＳＳ  ｂｕｒｓｔを含み、１つのＳＳ  ｂｕｒｓｔは１つ又は複数のＳＳ  ｂｌｏｃｋを含む。１つのＳＳ  ｂｌｏｃｋは１つのビームの同期信号及び放送チャネルを搬送することに用いられる。従って、１つのＳＳ  ｂｕｒｓｔ  ｓｅｔはセル内の同期信号ブロック数ＳＳ  ｂｌｏｃｋ  ｎｕｍｂｅｒと同じ数のビームの同期信号を含む。１つのＳＳ  ｂｌｏｃｋは、１つの符号のプライマリー同期信号（ＰＳＳ：Ｐｒｉｍａｒｙ  Ｓｙｎｃｈｒｏｎｉｚａｔｉｏｎ  Ｓｉｇｎａｌ）、１つの符号のセカンダリー同期信号（ＳＳＳ：Ｓｅｃｏｎｄａｒｙ  Ｓｙｎｃｈｒｏｎｉｚａｔｉｏｎ  Ｓｉｇｎａｌ）及び２つの符号の物理放送チャネル（ＮＲ−ＰＢＣＨ：Ｎｅｗ  Ｒａｄｉｏ  Ａｃｃｅｓｓ  Ｔｅｃｈｎｏｌｏｇｙ  −Ｐｈｙｓｉｃａｌ  ｂｒｏａｄｃａｓｔ  ｃｈａｎｎｅｌ）を含む。具体的なＳＳ  ｂｌｏｃｋの構造模式図は図２を参照する。マルチビーム走査が必要である同期信号及びＰＢＣＨに加えて、余剰最小システム情報（ＲＭＳＩ：Ｒｅｍａｉｎｉｎｇ  Ｍｉｎｉｍｕｍ  Ｓｙｓｔｅｍ  Ｉｎｆｏｒｍａｔｉｏｎ）、ページング（ｐａｇｉｎｇ）メッセージなどのいくつかの他の共通情報もマルチビーム走査の方式で送信する必要がある。
【００２２】
図１に示す技術案では、関連関係の取得ステップ、すなわちＳ１０１に対して、本実施例は以下の２つの例示的な実現態様を提供する。
【００２３】
第１の可能な実現態様では、前記したページング帯域幅と同期又は基準信号との関連関係を取得するステップは、
ページング帯域幅の指示情報と、前記ページング帯域幅と関連関係を有する同期又は基準信号の指示情報とを通知するための余剰最小システム情報（ＲＭＳＩ：Ｒｅｍａｉｎｉｎｇ  Ｍｉｎｉｍｕｍ  Ｓｙｓｔｅｍ  Ｉｎｆｏｒｍａｔｉｏｎ）又は他のシステム情報（ＯＳＩ：Ｏｔｈｅｒ  Ｓｙｓｔｅｍ  Ｉｎｆｏｒｍａｔｉｏｎ）を受信するステップを含む。
【００２４】
なお、ＵＥは、ページング帯域幅の指示情報の指示に基づいてページング帯域幅を確定するとともに、前記ページング帯域幅と関連関係が存在する同期又は基準信号の指示情報によって、前記ページング帯域幅と関連関係が存在する同期又は基準信号を取得する。第１の可能な実現態様においては、ＲＭＳＩに対して、５Ｇ  ＮＲシステムでは、初期にアクセスされるＵＥは、１つのｃｏｍｍｏｎ  ｓｅａｒｃｈ  ｓｐａｃｅを定義して、ＲＭＳＩなどの共通コントロール情報を受信する必要がある。従って、コントロールリソースセット（ＣＯＲＥＳＥＴ：Ｃｏｎｔｒｏｌ  Ｒｅｓｏｕｒｃｅ  Ｓｅｔ）の概念を導入して、コントロール情報を搬送するリソースセットを定義することに用いられ、ＵＥは該リソースセットでＮＲ−ＰＤＣＣＨチャネルを検出して、ＲＭＳＩを搬送するＮＲ−ＰＤＳＣＨのスケジューリング情報を取得する。ＣＯＲＥＳＥＴの指示情報はＮＲ−ＰＢＣＨに搬送られ、ＵＥがＲＭＳＩを受信することに用いられる。このように類推すると、ＵＥはページングメッセージを受信する必要があり、ページング指示情報を受信するためのＣＯＲＥＳＥＴ情報、すなわちＣＯＲＥＳＥＴ  ｆｏｒ  ｐａｇｉｎｇを確定する必要もあり、該ＣＯＲＥＳＥＴ情報がＲＭＳＩによってＵＥに対して指示され、それによりＵＥは該ＣＯＲＥＳＥＴ情報に基づいてページング指示情報を検出して、ページングメッセージを受信する。
【００２５】
第２の可能な実現態様では、前記したページング帯域幅と同期又は基準信号との関連関係を取得するステップは、
予め設定された関連関係確立ポリシーによって前記関連関係を定義するステップを含み、
前記予め設定された関連関係確立ポリシーは、
ページング帯域幅内のページングメッセージと、前記ページング帯域幅と同じ部分帯域幅（ＢＷＰ：ＢａｎｄＷｉｄｔｈ  Ｐａｒｔ）上での同期又は基準信号とが関連関係を有することであって、前記ページング帯域幅が前記ＢＷＰの一部であり、前記ＢＷＰがシステム帯域幅の一部であること、
又は、
ページング帯域幅内のページングメッセージと、周波数領域で前記ページング帯域幅に最も近い同期又は基準信号とが関連関係を有すること、又は、
ページング帯域幅内のページングメッセージと、予め設定された同期又は基準信号とが関連関係を有すること、を含む。
【００２６】
第２の可能な実現態様においては、５Ｇ  ＮＲでは、システム帯域幅は広帯域（ｗｉｄｅｂａｎｄ）搬送波をサポートし、システム搬送波帯域幅は４００ＭＨｚに達する。ネットワーク装置に対して、ネットワーク装置の処理能力が高いので、広帯域搬送波をサポートすることには問題がないが、ＵＥに対しては、コスト、電力等の制約があり、ＵＥがサポートできる最大帯域幅はＵＥ自体の能力に制限される。従って、１つのｗｉｄｅｂａｎｄ搬送波のために１つ又は複数の部分帯域幅（ＢＷＰ：ｂａｎｄｗｉｄｔｈ  ｐａｒｔ）を設定し、各ＢＷＰは１組の連続した物理リソースブロック（ＰＲＢ：Ｐｈｙｓｉｃａｌ  Ｒｅｓｏｕｒｃｅ  Ｂｌｏｃｋ）を含む。１つのＵＥに対して、１つのサービングセル内に、最大で１つのアクティブダウンリンク部分帯域幅ａｃｔｉｖｅ  ＤＬ  ＢＷＰ及び最大で１つのアクティブアップリンク部分帯域幅ａｃｔｉｖｅ  ＵＬ  ＢＷＰが同時に存在することが許可される。且つ、ＵＥに対してＢＷＰが設定される前に、１つの初期ａｃｔｉｖｅ  ＤＬ／ＵＬ  ＢＷＰが存在するとともに、該初期ａｃｔｉｖｅ  ＤＬ／ＵＬ  ＢＷＰがＵＥの最小帯域幅範囲内にあり、すべてのＵＥによる受信が容易になる。ＲＲＣ接続の確立過程中又は確立後に、ＵＥに対して特定のａｃｔｉｖｅ  ＤＬ／ＵＬ  ＢＷＰを設定することができる。
【００２７】
アイドルｉｄｌｅ状態のＵＥに対して、初期ａｃｔｉｖｅ  ＤＬ／ＵＬ  ＢＷＰの存在のため、最も直接的な方式はページングメッセージを初期ａｃｔｉｖｅ  ＤＬ／ＵＬ  ＢＷＰに含ませて送信することである。初期ａｃｔｉｖｅ  ＤＬ／ＵＬ  ＢＷＰの帯域幅がＵＥの最小帯域幅能力を満たすので、すべてのＵＥは該初期ａｃｔｉｖｅ  ＤＬ／ＵＬ  ＢＷＰでページングを受信することができる。しかし、一般的なＵＥの最小帯域幅能力が１０ＭＨｚであるため、初期ａｃｔｉｖｅ  ＤＬ／ＵＬ  ＢＷＰの帯域幅が制限され、ＳＳ  ｂｌｏｃｋを搬送することに加えて、ｐａｇｉｎｇメッセージ、データｄａｔａ等を同時に搬送する必要があると、該ＢＷＰ上でのページング及びデータ伝送の輻輳が発生してしまい、ページング遅延の増加をもたらす。この状況を回避するために、セル内のＵＥのページングメッセージを複数の異なるＢＷＰに分散することができ、それによりページングメッセージの負荷を異なるＢＷＰに平均化させる。図３に示すように、システム帯域幅の複数のＢＷＰにおいて、それぞれ、ｐａｇｉｎｇメッセージを搬送するためのページング帯域幅Ｐａｇｉｎｇ  ｂａｎｄｗｉｄｔｈが存在し、異なるＵＥはそれ自体に対応するｐａｇｉｎｇメッセージを搬送するページング帯域幅Ｐａｇｉｎｇ  ｂａｎｄｗｉｄｔｈを取得できる。
【００２８】
本発明の実施例では、ページング帯域幅Ｐａｇｉｎｇ  ｂａｎｄｗｉｄｔｈは、ＣＯＲＥＳＥＴによって指示される周波数領域帯域幅又は周波数領域位置であってもよく、ページング指示情報及び／又はページングメッセージを搬送する周波数領域帯域幅であってもよい。つまり、ページング帯域幅は、ページング指示情報及びページングメッセージを搬送するための周波数領域位置であってもよく、又はページング指示情報を送信するためのＣＯＲＥＳＥＴに対応する周波数領域位置であってもよく、又はページングメッセージを送信するための周波数領域位置であってもよい。
【００２９】
なお、ページング指示情報は、具体的には、ページング無線ネットワーク一時識別子（Ｐ−ＲＮＴＩ：Ｐａｇｉｎｇ−Ｒａｄｉｏ  Ｎｅｔｗｏｒｋ  Ｔｅｍｐｏｒｙ  Ｉｄｅｎｔｉｔｙ）を用いてスクランブルされた物理ダウンリンク制御チャネル（ＰＤＣＣＨ：Ｐｈｙｓｉｃａｌ  Ｄｏｗｎｌｉｎｋ  Ｃｏｎｔｒｏｌ  Ｃｈａｎｎｅｌ）により送信されるダウンリンク制御シグナリング（ＤＣＩ）に搬送されることが可能であり、ＵＥはページング指示情報によって、物理ダウンリンク共有チャネル（ＰＤＳＣＨ：Ｐｈｙｓｉｃａｌ  Ｄｏｗｎｌｉｎｋ  Ｓｈａｒｅｄ  Ｃｈａｎｎｅｌ）に搬送されたページングメッセージを受信する。
【００３０】
システム帯域幅内に、複数のＳＳ  ｂｌｏｃｋが存在する可能性があり、たとえば、異なるＢＷＰにいずれもＳＳ  ｂｌｏｃｋが存在し、アイドル状態のＵＥはシステム帯域幅内の１つ又は複数のＳＳ  ｂｌｏｃｋを検出した可能性がある。ＵＥはそれ自体に対応するページング帯域幅ｐａｇｉｎｇ  ｂａｎｄｗｉｄｔｈと、検出されたＳＳ  ｂｌｏｃｋとに関連関係（たとえばＱＣＬ関係）が存在しないと確定した場合、又はＵＥによって検出された同期信号が、ＵＥによるページング帯域幅ｐａｇｉｎｇ  ｂａｎｄｗｉｄｔｈの受信時の同期参照に使用できない場合、ＵＥは、それ自体に対応するページング帯域幅ｐａｇｉｎｇ  ｂａｎｄｗｉｄｔｈと関連関係（たとえばＱＣＬ関係）が存在する同期信号又は基準信号を取得する必要がある。従って、図１に示すプロセスは、システム帯域幅内に１つ以上の同期又は基準信号が含まれると検出し後に、受信された前記ＵＥに対応するページング帯域幅と、検出された同期又は基準信号とにＱＣＬ関連関係が存在しない場合、受信された前記ＵＥに対応するページング帯域幅とＱＣＬ関連関係が存在する同期又は基準信号を取得するステップをさらに含む。具体的には、前記ＵＥに対応するページング帯域幅と検出された同期又は基準信号とに関連関係が存在しない場合は、
前記ＵＥに対応するページング帯域幅と前記検出された同期又は基準信号とがそれぞれ異なる部分帯域幅（ＢＷＰ）にあること、又は、
周波数領域で、前記ＵＥに対応するページング帯域幅と前記検出された同期又は基準信号との間の周波数領域距離が設定された距離閾値より大きいことにより、周波数領域間隔距離が大きいこと、又は、
前記ＵＥに対応するページング帯域幅と前記検出された同期又は基準信号との周波数領域位置がそれぞれ異なる無線周波数チェーン（ＲＦ  ｃｈａｉｎ）に属すること等を含む。
【００３１】
ＵＥに対応するページング帯域幅ｐａｇｉｎｇ  ｂａｎｄｗｉｄｔｈと検出された同期又は基準信号とにＱＣＬ関係が存在しない場合、ＵＥは、図１に示す技術案で適切な同期又は基準信号を取得して同期する必要があり、それによりページング帯域幅ｐａｇｉｎｇ  ｂａｎｄｗｉｄｔｈで送信されるページングｐａｇｉｎｇメッセージを受信する。
【００３２】
実施例２
前述の実施例と同じ発明構想に基づき、図４は、本発明の実施例に係る、ネットワーク装置に適用される情報受信方法のプロセスを示し、該プロセスは、
ユーザ装置（ＵＥ）に対応するページング帯域幅の指示情報と、前記ページング帯域幅と関連関係を有する同期又は基準信号の指示情報とを余剰最小システム情報（ＲＭＳＩ）又は他のシステム情報（ＯＳＩ）に含めるステップＳ４０１と、
前記ＲＭＳＩ又はＯＳＩを前記ＵＥに送信するステップＳ４０２と、を含む。
【００３３】
具体的には、前記関連関係は擬似コロケーション（ＱＣＬ）関係を含む。
【００３４】
なお、前記ＵＥは前記ＲＭＳＩ又はＯＳＩを受信すると、前記ＵＥに対応するページング帯域幅の指示情報に基づいてページング帯域幅を確定することができ、前記ページング帯域幅と関連関係を有する同期又は基準信号の指示情報に基づいて同期又は基準信号を取得することができ、その後、実施例１に記載の技術案に基づいてページングメッセージを受信することができ、本実施例はこれを繰り返し説明しない。
【００３５】
実施例３
前述の実施例と同じ発明構想に基づき、図５は、本発明の実施例に係るユーザ装置（ＵＥ）  ５０を示し、第１取得部５０１、第２取得部５０２及び受信部５０３を備え、
前記第１取得部５０１は、ページング帯域幅と同期又は基準信号との関連関係を取得するように構成され、
前記第２取得部５０２は、前記関連関係に基づいて、前記ＵＥに対応するページング帯域幅と関連する同期又は基準信号を取得するように構成され、
前記受信部５０３は、前記同期又は基準信号に基づいて、前記ＵＥに対応するページング帯域幅でページングメッセージを受信するように構成される。
【００３６】
上記技術案では、前記第１取得部５０１は、具体的には、
ページング帯域幅の指示情報と、前記ページング帯域幅と関連関係を有する同期又は基準信号の指示情報とを通知するための余剰最小システム情報（ＲＭＳＩ）又は他のシステム情報（ＯＳＩ）を受信するように構成される。
【００３７】
上記技術案では、前記第１取得部５０１は、具体的には、
予め設定された関連関係確立ポリシーによって前記関連関係を定義するように構成され、
前記予め設定された関連関係確立ポリシーは、
ページング帯域幅内のページングメッセージと、前記ページング帯域幅と同じ部分帯域幅（ＢＷＰ）上での同期又は基準信号とが関連関係を有することであって、前記ページング帯域幅が前記ＢＷＰの一部であり、前記ＢＷＰがシステム帯域幅の一部であること、
又は、
ページング帯域幅内のページングメッセージと、周波数領域で前記ページング帯域幅に最も近い同期又は基準信号とが関連関係を有すること、又は、
ページング帯域幅内のページングメッセージと、予め設定された同期又は基準信号とが関連関係を有すること、を含む。
【００３８】
上記技術案では、前記同期又は基準信号は、同期信号ブロック（ＳＳ  ｂｌｏｃｋ）、チャネル状態情報基準信号（ＣＳＩ−ＲＳ）、トラッキング基準信号（ＴＲＳ）のうちの少なくとも１つを含む。
【００３９】
上記技術案では、前記同期又は基準信号はネットワーク装置によりＵＥに対して設定され、前記ＳＳ  ｂｌｏｃｋ及び前記ＣＳＩ−ＲＳは無線リソース管理（ＲＲＭ）及びモビリティ測定に用いられ、前記ＴＲＳは時間周波数トラッキングを行うことに用いられる。
【００４０】
上記技術案では、前記ＵＥ  ５０は、前記ＵＥに対応するページング帯域幅と検出された同期又は基準信号とに関連関係が存在するか否かを確定するとともに、前記ＵＥに対応するページング帯域幅と検出された同期又は基準信号とに関連関係が存在しない場合、前記第１取得部５０１をトリガーするように構成される判定部５０４をさらに備える。
【００４１】
上記技術案では、前記判定部が、前記ＵＥに対応するページング帯域幅と検出された同期又は基準信号とに関連関係が存在しないと確定することは、具体的には、
前記ＵＥに対応するページング帯域幅と前記検出された同期又は基準信号とがそれぞれ異なる部分帯域幅（ＢＷＰ）にあること、又は、
周波数領域で、前記ＵＥに対応するページング帯域幅と前記検出された同期又は基準信号との間の周波数領域距離が設定された距離閾値より大きいこと、又は、
前記ＵＥに対応するページング帯域幅と前記検出された同期又は基準信号との周波数領域位置がそれぞれ異なる無線周波数チェーン（ＲＦ  ｃｈａｉｎ）に属することを含む。
【００４２】
上記技術案では、前記関連関係は擬似コロケーション（ＱＣＬ）関係を含む。
【００４３】
なお、本実施例では、「部」は部分回路、部分プロセッサ、部分プログラム又はソフトウェア等々であってもよく、もちろん、ユニットであってもよく、さらにモジュール、非モジュール化のものであってもよい。
【００４４】
また、本実施例の各構成部分は１つの処理ユニットに集積されてもよく、各ユニット各自の物理的存在であってもよく、２つ又は２つ以上のユニットが１つのユニットに集積されてもよい。上記集積されたユニットはハードウェアの形態で実現されてもよく、ソフトウェア機能モジュールの形態で実現されてもよい。
【００４５】
前記集積されたユニットは、独立した製品として販売又は使用されることなく、ソフトウェア機能モジュールの形態で実現される場合、１つのコンピュータ可読記憶媒体に記憶されることができ、このような理解に基づき、本実施例の技術案、又は従来技術に寄与する部分、又は該技術案の全部又は一部はソフトウェア製品の形態で実施することができ、該コンピュータソフトウェア製品は、１つの記憶媒体に記憶され、コンピュータ装置（パーソナルコンピュータ、サーバ、又はネットワーク装置等であってもよい）又はｐｒｏｃｅｓｓｏｒ（プロセッサ）に本実施例に記載の方法の全部又は一部のステップを実行させるための複数の指令を含む。前述の記憶媒体は、Ｕディスク、モバイルディスク、読み出し専用メモリ（ＲＯＭ：Ｒｅａｄ  Ｏｎｌｙ  Ｍｅｍｏｒｙ）、ランダムアクセスメモリ（ＲＡＭ：Ｒａｎｄｏｍ  Ａｃｃｅｓｓ  Ｍｅｍｏｒｙ）、磁気ディスク又は光ディスク等のプロクラムコードを記憶できる様々な媒体を含む。
【００４６】
従って、本実施例は、少なくとも１つのプロセッサにより実行されるときに上記実施例１に記載の方法のステップを実現する情報受信プログラムが記憶されているコンピュータ可読媒体を提供する。
【００４７】
上記ＵＥ  ５０及びコンピュータ可読媒体に基づき、図６は、本発明の実施例に係るＵＥ  ５０の具体的なハードウェア構造を示し、第１ネットワークインタフェース６０１、第１メモリ６０２及び第１プロセッサ６０３を備え、各ユニットはバスシステム６０４を介して結合される。なお、バスシステム６０４はこれらのユニット間の接続通信を実現することに用いられる。バスシステム６０４は、データバスに加えて、電源バス、制御バス及び状態信号バスを含む。しかし、説明を明確にするために、図６では各バスをバスシステム６０４として示す。第１ネットワークインタフェース６０１は、他の外部ネットワーク要素と情報を送受信する過程で、信号を送受信するように構成され、
第１メモリ６０２は、第１プロセッサ６０３上で実行可能なコンピュータプログラムを記憶するように構成され、
第１プロセッサ６０３は、前記コンピュータプログラムが実行されるときに、
ページング帯域幅と同期又は基準信号との関連関係を取得するステップと、
前記関連関係に基づいて、前記ＵＥに対応するページング帯域幅と関連する同期又は基準信号を取得するステップと、
前記同期又は基準信号に基づいて、前記ＵＥに対応するページング帯域幅でページングメッセージを受信するステップと、を実行するように構成される。
【００４８】
なお、本発明の実施例の第１メモリ６０２は、揮発性メモリ又は不揮発性メモリであってもよく、又は揮発性メモリ及び不揮発性メモリの両方を含んでもよい。不揮発性メモリは、読み出し専用メモリ（ＲＯＭ：Ｒｅａｄ−Ｏｎｌｙ  Ｍｅｍｏｒｙ）、プログラマブルＲＯＭ（ＰＲＯＭ：Ｐｒｏｇｒａｍｍａｂｌｅ  ＲＯＭ）、消去可能ＰＲＯＭ（ＥＰＲＯＭ：Ｅｒａｓａｂｌｅ  ＰＲＯＭ）、電気的ＥＰＲＯＭ（ＥＥＰＲＯＭ：Ｅｌｅｃｔｒｉｃａｌｌｙ  ＥＰＲＯＭ）又はフラッシュメモリであってもよい。揮発性メモリは、外部キャッシュとして使用されるランダムアクセスメモリ（ＲＡＭ：Ｒａｎｄｏｍ  Ａｃｃｅｓｓ  Ｍｅｍｏｒｙ）であってもよい。限定的な説明ではなく、例示的な説明によって、多くの形態のＲＡＭが利用でき、たとえば、スタティックＲＡＭ（ＳＲＡＭ：Ｓｔａｔｉｃ  ＲＡＭ）、ダイナミックＲＡＭ（ＤＲＡＭ：Ｄｙｎａｍｉｃ  ＲＡＭ）、同期ＤＲＡＭ（ＳＤＲＡＭ：Ｓｙｎｃｈｒｏｎｏｕｓ  ＤＲＡＭ）、ダブルデータレートＳＤＲＡＭ（ＤＤＲＳＤＲＡＭ：Ｄｏｕｂｌｅ  Ｄａｔａ  Ｒａｔｅ  ＳＤＲＡＭ）、強化ＳＤＲＡＭ（ＥＳＤＲＡＭ：Ｅｎｈａｎｃｅｄ  ＳＤＲＡＭ）、同期リンクＤＲＡＭ（ＳＬＤＲＡＭ：Ｓｙｎｃｈｌｉｎｋ  ＤＲＡＭ）及びダイレクトラムバスＲＡＭ（ＤＲＲＡＭ：Ｄｉｒｅｃｔ  Ｒａｍｂｕｓ  ＲＡＭ）が挙げられる。本明細書で説明されるシステム及び方法の第１メモリ６０２は、これらのメモリ及び任意の他の適切な種類のメモリを含むが、それらに限定されない。
【００４９】
第１プロセッサ６０３は、集積回路チップであってもよく、信号の処理能力を有する。実現過程で、上記方法の各ステップは第１プロセッサ６０３内のハードウェアの集積論理回路又はソフトウェア形態の指令によって完了することができる。上記第１プロセッサ６０３は、汎用プロセッサ、デジタル信号プロセッサ（ＤＳＰ：Ｄｉｇｉｔａｌ  Ｓｉｇｎａｌ  Ｐｒｏｃｅｓｓｏｒ）、特定用途向け集積回路（ＡＳＩＣ：Ａｐｐｌｉｃａｔｉｏｎ  Ｓｐｅｃｉｆｉｃ  Ｉｎｔｅｇｒａｔｅｄ  Ｃｉｒｃｕｉｔ）、フィールドプログラマブルゲートアレイ（ＦＰＧＡ：Ｆｉｅｌｄ  Ｐｒｏｇｒａｍｍａｂｌｅ  Ｇａｔｅ  Ａｒｒａｙ）又は他のプログラマブルロジックデバイス、離散ゲート又はトランジスタロジックデバイス、個別ハードウェア部品であってもよい。本発明の実施例に開示されている各方法、ステップ及びロジックブロック図を実現又は実行することができる。汎用プロセッサはマイクロプロセッサであってもよく、又は該プロセッサはいずれかの通常のプロセッサ等であってもよい。本発明の実施例に開示されている方法のステップは、ハードウェアデコードプロセッサによって直接実施されてもよく、又はデコードプロセッサ内のハードウェア及びソフトウェアモジュールの組み合わせによって実行されてもよい。ソフトウェアモジュールは、ランダムメモリ、フラッシュメモリ、読み出し専用メモリ、プログラマブル読み出し専用メモリ又は電気的消去可能プログラマブルメモリ、レジスタ等の本分野の成熟した記憶媒体にあってもよい。該記憶媒体は第１メモリ６０２にあり、第１プロセッサ６０３は第１メモリ６０２内の情報を読み取り、そのハードウェアと組み合わせて上記方法のステップを完了する。
【００５０】
なお、本明細書で説明されるこれらの実施例はハードウェア、ソフトウェア、ファームウェア、ミドルウェア、マイクロコード又はそれらの組み合わせによって実現することができる。ハードウェアによって実現する場合、処理ユニットは、１つ又は複数の特定用途向け集積回路（ＡＳＩＣ：Ａｐｐｌｉｃａｔｉｏｎ  Ｓｐｅｃｉｆｉｃ  Ｉｎｔｅｇｒａｔｅｄ  Ｃｉｒｃｕｉｔｓ）、デジタル信号プロセッサ（ＤＳＰ：Ｄｉｇｉｔａｌ  Ｓｉｇｎａｌ  Ｐｒｏｃｅｓｓｉｎｇ）、ＤＳＰ装置（ＤＳＰＤ：ＤＳＰ  Ｄｅｖｉｃｅ）、プログラマブルロジック装置（ＰＬＤ：Ｐｒｏｇｒａｍｍａｂｌｅ  Ｌｏｇｉｃ  Ｄｅｖｉｃｅ）、フィールドプログラマブルゲートアレイ（ＦＰＧＡ：Ｆｉｅｌｄ−Ｐｒｏｇｒａｍｍａｂｌｅ  Ｇａｔｅ  Ａｒｒａｙ）、汎用プロセッサ、コントローラ、マイクロコントローラ、マイクロプロセッサ、本願に記載の機能を実行するための他の電子ユニット又はそれらの組み合わせで実現することができる。
【００５１】
ソフトウェアによって実現する場合、本明細書に記載の機能を実行するモジュール（たとえば過程、関数等）によって本明細書に記載の技術を実現することができる。ソフトウェアコードはメモリに記憶されてプロセッサによって実行される。メモリはプロセッサ内又はプロセッサの外部で実現できる。
【００５２】
具体的には、ＵＥ  ５０の第１プロセッサ６０３は、さらに、前記コンピュータプログラムが実行されるときに、前述の実施例１に記載の方法ステップを実行するように構成され、ここで繰り返し説明しない。
【００５３】
実施例４
前述の実施例と同じ発明構想に基づき、図７は、本発明の実施例に係るネットワーク装置７０の構成を示し、ベアラ部７０１及び送信部７０２を備え、
前記ベアラ部７０１は、ユーザ装置（ＵＥ）に対応するページング帯域幅の指示情報と、前記ページング帯域幅と関連関係を有する同期又は基準信号の指示情報とを余剰最小システム情報（ＲＭＳＩ）又は他のシステム情報（ＯＳＩ）に含めるように構成され、
前記送信部７０２は、前記ＲＭＳＩ又はＯＳＩを前記ＵＥに送信するように構成される。
【００５４】
上記技術案では、前記関連関係は擬似コロケーション（ＱＣＬ）関係を含む。
【００５５】
また、本実施例は、少なくとも１つのプロセッサにより実行されるときに上記実施例２に記載の方法のステップを実現するメッセージ受信プログラムが記憶されているコンピュータ可読媒体を提供する。コンピュータ可読媒体に対する具体的な説明は、実施例３の説明を参照し、ここで繰り返し説明しない。
【００５６】
上記ネットワーク装置７０及びコンピュータ可読媒体に基づき、図８は、本発明の実施例に係るネットワーク装置７０の具体的なハードウェア構造を示し、第２ネットワークインタフェース８０１、第２メモリ８０２及び第２プロセッサ８０３を備え、各ユニットはバスシステム８０４を介して結合される。なお、バスシステム８０４は、これらのユニット間の接続通信を実現することに用いられる。バスシステム８０４は、データバスに加えて、電源バス、制御バス及び状態信号バスを含む。しかし、説明を明確にするために、図８では各バスをバスシステム８０４として示す。
【００５７】
前記第２ネットワークインタフェース８０１は、他の外部ネットワーク要素と情報を送受信する過程で、信号を送受信するように構成され、
第２メモリ８０２は、第２プロセッサ８０３上で実行可能なコンピュータプログラムを記憶するように構成され、
第２プロセッサ８０３は、前記コンピュータプログラムが実行されるときに、
ユーザ装置（ＵＥ）に対応するページング帯域幅の指示情報と、前記ページング帯域幅と関連関係を有する同期又は基準信号の指示情報とを余剰最小システム情報（ＲＭＳＩ）又は他のシステム情報（ＯＳＩ）に含めるステップと、
前記ＲＭＳＩ又はＯＳＩを前記ＵＥに送信するステップと、を実行するように構成される。
【００５８】
なお、本実施例のネットワーク装置７０の具体的なハードウェア構造の構成部分は、実施例３の対応部分と類似し、ここで繰り返し説明しない。
【００５９】
具体的には、ネットワーク装置７０の第２プロセッサ８０３は、さらに、前記コンピュータプログラムが実行されるときに、前述の実施例２に記載の方法ステップを実行するように構成され、ここで繰り返し説明しない。
【００６０】
当業者であれば、本発明の実施例が方法、システム、又はコンピュータプログラム製品として提供され得ることを理解すべきである。従って、本発明は、ハードウェア実施例、ソフトウェア実施例、又はソフトウェア及びハードウェアを組み合わせる実施例の形態を採用することができる。そして、本発明は、コンピュータ使用可能プログラムコードを含む１つ又は複数のコンピュータ使用可能記憶媒体（磁気ディスクメモリ及び光学メモリ等を含むが、それらに限定されない）上で実施するコンピュータプログラム製品の形態を採用することができる。
【００６１】
本発明は、本発明の実施例に係る方法、装置（システム）、及びコンピュータプログラム製品のフローチャート及び／又はブロック図を参照して説明される。なお、コンピュータプログラム指令によって、フローチャート及び／又はブロック図の各プロセス及び／又はブロック、及びフローチャート及び／又はブロック図のプロセス及び／又はブロックの組み合わせを実現することができる。これらのコンピュータプログラム指令を、汎用コンピュータ、専用コンピュータ、組み込みプロセッサ又は他のプログラマブルデータ処理装置のプロセッサに提供して１つの機器を生成することにより、コンピュータ又は他のプログラマブルデータ処理装置のプロセッサが実行する指令によって、フローチャートの１つのプロセス又は複数のプロセス及び／又はブロック図の１つのブロック又は複数のブロックに指定される機能を実現するための装置を生成する。
【００６２】
これらのコンピュータプログラム指令を、コンピュータ又は他のプログラマブルデータ処理装置を特定の方式で作動するようにガイドできるコンピュータ可読メモリに記憶してもよく、それにより、該コンピュータ可読メモリに記憶される指令によって指令装置を含む製造品を生成し、該指令装置は、フローチャートの１つのプロセス又は複数のプロセス及び／又はブロック図の１つのブロック又は複数のブロックに指定される機能を実現する。
【００６３】
これらのコンピュータプログラム指令をコンピュータ又は他のプログラマブルデータ処理装置に搭載してもよく、それにより、コンピュータ又は他のプログラマブル装置上で一連の操作ステップを実行してコンピュータ実施処理を生成し、それによりコンピュータ又は他のプログラマブル装置上で実行する指令は、フローチャートの１つのプロセス又は複数のプロセス及び／又はブロック図の１つのブロック又は複数のブロックに指定される機能を実現するためのステップを提供する。
【００６４】
上記は、本発明の好ましい実施例に過ぎず、本発明の保護範囲を限定するためのものではない。
【産業上の利用可能性】
【００６５】
本発明の実施例では、ＵＥがそれ自体に対応するページング帯域幅を確定した後、取得したページング帯域幅と同期又は基準信号との関連関係に基づいて、それ自体に対応するページング帯域幅と関連する同期又は基準信号を取得し、このようにして同期又は基準信号によって同期及びチャネル状態を取得でき、それによりそれ自体に対応するページング帯域幅でページングメッセージを受信する。ＵＥはページングメッセージをより正確に受信することができ、ＵＥがそれ自体に対応するページング帯域幅でページングメッセージを受信する成功率を向上させる。
【図１】
2021509545.tif 000003
【図２】
2021509545.tif 000004
【図３】
2021509545.tif 000005
【図４】
2021509545.tif 000006
【図５】
2021509545.tif 000007
【図６】
2021509545.tif 000008
【図７】
2021509545.tif 000009
【図８】
2021509545.tif 000010
【手続補正書】
【提出日】令和2年10月16日(2020.10.16)
【手続補正１】
【補正対象書類名】特許請求の範囲
【補正対象項目名】全文
【補正方法】変更
【補正の内容】
【特許請求の範囲】
【請求項１】
ユーザ装置（ＵＥ）に適用される情報受信方法であって、前記方法は、
ページング帯域幅と同期又は基準信号との関連関係を取得するステップと、
前記関連関係の中の前記ＵＥに対応するページング帯域幅と関連する同期又は基準信号に基づいて、前記ＵＥに対応するページング帯域幅でページングメッセージを受信するステップと、を含む、情報受信方法。
【請求項２】
前記ページング帯域幅と同期又は基準信号との関連関係を取得するステップは、
ページング帯域幅の指示情報と、前記ページング帯域幅と関連関係を有する同期又は基準信号情報の指示情報とを通知するための余剰最小システム情報（ＲＭＳＩ）又は他のシステム情報（ＯＳＩ）を受信するステップを含む、請求項１に記載の方法。
【請求項３】
前記ページング帯域幅と同期又は基準信号との関連関係を取得するステップは、
予め設定された関連関係確立ポリシーによって前記関連関係を定義するステップを含み、
前記予め設定された関連関係確立ポリシーは、
ページング帯域幅内のページングメッセージと、前記ページング帯域幅と同じ部分帯域幅（ＢＷＰ）上での同期又は基準信号とが関連関係を有することであって、前記ページング帯域幅が前記ＢＷＰの一部であり、前記ＢＷＰがシステム帯域幅の一部であること、
又は、
ページング帯域幅内のページングメッセージと、周波数領域で前記ページング帯域幅に最も近い同期又は基準信号とが関連関係を有すること、又は、
ページング帯域幅内のページングメッセージと、予め設定された同期又は基準信号とが関連関係を有すること、を含む、請求項１に記載の方法。
【請求項４】
前記同期又は基準信号は、同期信号ブロック（ＳＳ  ｂｌｏｃｋ）、チャネル状態情報基準信号（ＣＳＩ−ＲＳ）、トラッキング基準信号（ＴＲＳ）のうちの少なくとも１つを含む、請求項１に記載の方法。
【請求項５】
前記同期又は基準信号はネットワーク装置によりＵＥに対して設定され、前記ＳＳ  ｂｌｏｃｋ及び前記ＣＳＩ−ＲＳは無線リソース管理（ＲＲＭ）及びモビリティ測定に用いられ、前記ＴＲＳは時間周波数トラッキングを行うことに用いられる、請求項４に記載の方法。
【請求項６】
前記方法は、
前記ＵＥに対応するページング帯域幅と検出された同期又は基準信号とに関連関係が存在しない場合、ページング帯域幅と同期又は基準信号との前記関連関係を取得し、前記関連関係の中の前記ＵＥに対応するページング帯域幅と関連する同期又は基準信号に基づいて、前記ＵＥに対応するページング帯域幅でページングメッセージを受信するステップをさらに含む、請求項１に記載の方法。
【請求項７】
前記ＵＥに対応するページング帯域幅と検出された同期又は基準信号とに関連関係が存在しないことは、
前記ＵＥに対応するページング帯域幅と前記検出された同期又は基準信号とがそれぞれ異なる部分帯域幅（ＢＷＰ）にあること、又は、
周波数領域で、前記ＵＥに対応するページング帯域幅と前記検出された同期又は基準信号との間の周波数領域距離が設定された距離閾値より大きいこと、又は、
前記ＵＥに対応するページング帯域幅と前記検出された同期又は基準信号との周波数領域位置がそれぞれ異なる無線周波数チェーン（ＲＦ  ｃｈａｉｎ）に属することを含む、請求項６に記載の方法。
【請求項８】
ユーザ装置（ＵＥ）であって、取得部及び受信部を備え、
前記取得部は、ページング帯域幅と同期又は基準信号との関連関係を取得するように構成され、
前記受信部は、前記関連関係の中の前記ＵＥに対応するページング帯域幅と関連する同期又は基準信号に基づいて、前記ＵＥに対応するページング帯域幅でページングメッセージを受信するように構成される、ＵＥ。
【請求項９】
前記取得部は、具体的には、
ページング帯域幅の指示情報と、前記ページング帯域幅と関連関係を有する同期又は基準信号の指示情報とを通知するための余剰最小システム情報（ＲＭＳＩ）又は他のシステム情報（ＯＳＩ）を受信するように構成される、請求項８に記載のＵＥ。
【請求項１０】
前記取得部は、具体的には、
予め設定された関連関係確立ポリシーによって前記関連関係を定義するように構成され、
前記予め設定された関連関係確立ポリシーは、
ページング帯域幅内のページングメッセージと、前記ページング帯域幅と同じ部分帯域幅（ＢＷＰ）上での同期又は基準信号とが関連関係を有することであって、前記ページング帯域幅が前記ＢＷＰの一部であり、前記ＢＷＰがシステム帯域幅の一部であること、
又は、
ページング帯域幅内のページングメッセージと、周波数領域で前記ページング帯域幅に最も近い同期又は基準信号とが関連関係を有すること、又は、
ページング帯域幅内のページングメッセージと、予め設定された同期又は基準信号とが関連関係を有することを含む、請求項８に記載のＵＥ。
【請求項１１】
前記同期又は基準信号は、同期信号ブロック（ＳＳ  ｂｌｏｃｋ）、チャネル状態情報基準信号（ＣＳＩ−ＲＳ）、トラッキング基準信号（ＴＲＳ）のうちの少なくとも１つを含む、請求項８に記載のＵＥ。
【請求項１２】
前記同期又は基準信号はネットワーク装置によりＵＥに対して設定され、前記ＳＳ  ｂｌｏｃｋ及び前記ＣＳＩ−ＲＳは無線リソース管理（ＲＲＭ）及びモビリティ測定に用いられ、前記ＴＲＳは時間周波数トラッキングを行うことに用いられる、請求項１１に記載のＵＥ。
【請求項１３】
前記ＵＥは、前記ＵＥに対応するページング帯域幅と検出された同期又は基準信号とに関連関係が存在するか否かを確定し、しかも前記ＵＥに対応するページング帯域幅と検出された同期又は基準信号とに関連関係が存在しない場合、前記取得部をトリガーするように構成される判定部をさらに備える、請求項８に記載のＵＥ。
【請求項１４】
前記判定部が、前記ＵＥに対応するページング帯域幅と検出された同期又は基準信号とに関連関係が存在しないと確定することは、具体的には、
前記ＵＥに対応するページング帯域幅と前記検出された同期又は基準信号とがそれぞれ異なる部分帯域幅（ＢＷＰ）にあること、又は、
周波数領域で、前記ＵＥに対応するページング帯域幅と前記検出された同期又は基準信号との間の周波数領域距離が設定された距離閾値より大きいこと、又は、
前記ＵＥに対応するページング帯域幅と前記検出された同期又は基準信号との周波数領域位置がそれぞれ異なる無線周波数チェーン（ＲＦ  ｃｈａｉｎ）に属することを含む、請求項１３に記載のＵＥ。
【請求項１５】
前記関連関係は擬似コロケーション（ＱＣＬ）関係を含む、請求項８〜１４のいずれか１項に記載のＵＥ。
【国際調査報告】
2021509545.tif 000011
2021509545.tif 000012
2021509545.tif 000013
2021509545.tif 000014